(57)【特許請求の範囲】
【請求項１】
本体板の一部に、一辺が開閉自在なヒンジ部で連結されている蓋板が刻設されて取出口を形成している紙箱において、前記ヒンジ部が内面側から部分的にもしくは全長に亘ってハーフカットされてなることを特徴とする紙箱。
【請求項２】
本体板の一部に、一辺が開閉自在なヒンジ部で連結されている蓋板が刻設されて取出口を形成している紙箱において、前記ヒンジ部が外面側から部分的にもしくは全長に亘ってハーフカットされてなることを特徴とする紙箱。
【発明の詳細な説明】
【技術分野】
【０００１】
本発明は、略直方体形状の紙箱で、その上板の一部に内容物の取出口となる開閉蓋板を備え、該開閉蓋板と上板とを連結する折り曲げ自在なヒンジ部を備えた紙箱に関するものであり、特に、上板と開閉蓋板とを連結するヒンジ部が開封の繰り返しにより切れたり、あるいは開封後に元に戻ったりすることがなく、かつ美粧性にも優れる紙箱に関するものである。
【背景技術】
【０００２】
従来、板紙や段ボールなどでなる紙箱が知られ、その紙箱の形態として様々なタイプのものがある。これら紙箱は、印刷、打抜き、貼り合わせ等製函工程により製造される。このような紙箱の中で、上板の一部に内容物の取出口となる開閉蓋板を備えたタイプの紙箱がある。
【０００３】
そのタイプの紙箱として、例えば、不織布等からなる紙様タオルなど薄型内容物の容器があり、図１の斜視図に示すように、板紙でなり、上板（５１）と前板（５６）の一部の略中央に、内容物（５）の取出口（５５）となる開閉蓋板（５２）が折り曲げ自在なヒンジ部（５３）を介して連結されている紙箱（１）が知られ、この紙容器の開封は、開閉蓋板（５２）を構成するヒンジ部（５３）以外の辺のミシン目のところで切断してから、その一辺であるヒンジ部（５３）を起線とし上方へ持ち上げて取出口（５５）を形成するようになっている。
【０００４】
従来、上記ヒンジ部（５３）には、押し罫線を設けたり、あるいは、例えば、図７の上面図に示すように、押し罫線（５８）に沿ってミシン目（５９）を刻設し、上板（５１）と開閉蓋板（５２）とを連結する開閉自在なヒンジ部（５３）としたものがある（例えば、特許文献１参照。）。
【０００５】
しかしながら、ヒンジ部（５３）として上記のような押し罫線のみを設けただけのものでは、開封に際し、開閉蓋板を上方に持ち上げて折り曲げたとき、その部分に反発力が発現して、いわゆるデッドホールド性に欠けるようになり、開閉蓋板が元に戻り易くなり、内容物が取り出し難いという問題点があった。
【０００６】
また、この問題点を解決するものとして、上記のような押し罫線（５８）に沿ってミシン目（５９）を刻設したものでは、開閉を繰り返した場合、ヒンジ部（５３）から切れてしまう危惧があるという問題点があった。
【０００７】
さらにまた、これらの問題点を解決するものとして、例えば、図８（ａ）の上面図に示すように、上板（５１）と開閉蓋板（５２）とを連結する開閉自在なヒンジ部として、複数の湾曲状の切れ目（６２）がヒンジ部（５３）に沿って断続的に並んで設けられ、その湾曲状の切れ目（６２）の湾曲方向が上下交互に並んでいて、隣接する切れ目（６２）の端部（６２ａ）が並び方向に離間した状態で且つ並び方向に向かって左右交互に設けられ、これら隣接する切れ目（６２）の端部（６２ａ）間で折り目（図示せず）を形成する紙容器（２）がある（例えば、特許文献２参照。）。
【０００８】
以下に、上記先行技術文献を示す。
【特許文献１】特開２００１−１３９０２５号公報
【特許文献２】特開２００５−４７９５０号公報
【発明の開示】
【発明が解決しようとする課題】
【０００９】
しかしながら、上記の湾曲状の切れ目が並んでいるものにおいては、例えば、図８（ｂ）の斜視図に示すように、開閉蓋板（５２）を持ち上げて開封すると、湾曲方向が上板（５１）の方にある切れ目（６２）の先端（６２ｂ）が下方、すなわち紙箱（１）の内側に垂直に延びているので、その先端（６２ｂ）が内容物（図示せず）に接触し、内容物が取り出し難くなり、かつその部分が（グラフィクデザイン上の）美粧性に欠けるという問題点があった。
【００１０】
本発明は、かかる従来技術の問題点を解決するものであり、その課題とするところは、上板等の一部に内容物の取出口となる開閉蓋板を備え、該上板等と開閉蓋板の一辺とを連結する開閉自在なヒンジ部を備えた紙箱において、そのヒンジ部が開封の繰り返しで切れたり、あるいは開封後に元に戻ったりする（いわゆるデッドホールド性に劣る）ことがなく、そのヒンジ部分が美粧性にも優れ、かつ内容物が取り出し易いようにした紙箱を提供することにある。
【課題を解決するための手段】
【００１１】
本発明に於いて上記課題を達成するために、まず請求項１の発明では、本体板の一部に内容物の取出口となる開閉蓋板を備え、該本体板と開閉蓋板の一辺とを連結する開閉自在なヒンジ部を備えた紙箱において、
前記ヒンジ部が、内面側から部分的にもしくは全長に亘ってハーフカットされてなることを特徴とする紙箱としたものである。
【００１２】
また、請求項２の発明では、本体板の一部に内容物の取出口となる開閉蓋板を備え、該本体板と開閉蓋板の一辺とを連結する開閉自在なヒンジ部を備えた紙箱において、
前記ヒンジ部が、外面側から部分的にもしくは全長に亘ってハーフカットされてなることを特徴とする紙箱としたものであ。
【発明の効果】
【００１３】
本発明は以上の構成であるから、下記に示す如き効果がある。
【００１４】
即ち、上記請求項１に係る発明によれば、本体板の一部に内容物の取出口となる開閉蓋板を備え、該本体板と開閉蓋板の一辺とを連結する開閉自在なヒンジ部を備えた紙箱において、前記ヒンジ部が、内面側から部分的にもしくは全長に亘ってハーフカットされていることによって、内容物の取り出しに際し、開閉蓋板をヒンジ部を介して、上方に持ち上げる開封を繰り返すと、そのヒンジ部で切れてしまったりあるいは開封後に元に戻ったりすることがなく（デッドホールド性に優れ）、さらにそのヒンジ部の部分が折り曲げた時に直線状に平坦になるので美粧性にも優れ、かつ内容物に接して開封し難いという問題もない紙箱とすることができる。
【００１５】
また、上記請求項２に係る発明によれば、本体板の一部に内容物の取出口となる開閉蓋板を備え、該本体板と開閉蓋板の一辺とを連結する開閉自在なヒンジ部を備えた紙箱において、前記ヒンジ部が、外面側から部分的にもしくは全長に亘ってハーフカットされていることによって、内容物の取り出しに際し、開閉蓋板をヒンジ部を介して上方に持ち上げる開封を繰り返すと、そのヒンジ部で切れてしまったりあるいは開封後に元に戻ったりすることがなく（デッドホールド性に優れ）、さらにそのヒンジ部の部分が折り曲げた時に直線状に平坦になるので美粧性にも優れ、かつ内容物に接して開封し難いという問題もない紙箱とすることができる。
【００１６】
従って本発明は、上板等の一部に薄型内容物等の取出口となる開閉蓋板を備え、その開閉蓋板の一辺が開閉自在なヒンジ部を備え、不織布からなる紙様タオルなど薄型内容物等を収納する紙箱として、優れた実用上の効果を発揮する。
【発明を実施するための最良の形態】
【００１７】
以下本発明を実施するための最良の形態を図面を用いて詳細に説明する。
【００１８】
図１は、本発明の紙箱の一事例を表した斜視図であり、図２は、本発明の紙箱の一事例を示す上面図である。また、図３は、本発明の紙箱を構成するヒンジ部の一事例を説明する断面図であり、図５は、本発明の紙箱を構成するヒンジ部の他の一事例を説明する断面図である。また、図６は、本発明の紙箱を製造する打抜き機の一事例を説明する断面図である。
【００１９】
本発明の紙箱は、例えば、図１の斜視図に示すように、紙製でなり、上板（５１）と底板（図示せず）と、前板（５６）と後板（図示せず）と、両側板（５４）とでなる紙箱（１）で、前記上板（５１）と前板（５６）に掛かる略中央に、内容物（５）の取出口（５５）となる開閉蓋板（５２）が刻設され、その開閉蓋板（５２）の一辺が上板（５１）と開閉自在なヒンジ部（５３）で連結している紙箱（１）であり、そのヒンジ部（５３）の形状等に関するものである。
【００２０】
上記請求項１に係る発明は、例えば、図２（ａ）の上面図およびそのＢ−Ｂ面を表す図３（ａ）の断面図に示すように、上板（５１）と開閉蓋板（５２）とを連結しているヒンジ部が内面側からヒンジ仮想線（５３ａ）の全長に亘ってハーフカットされてハーフカット溝（５７ａ）が形成された紙箱（１）である。
【００２１】
さらにまた、上記請求項１に係る発明では、図２（ｂ）の上面図およびそのＢ−Ｂ面を表す図３（ａ）の断面図に示すように、内面側からハーフカットされたハーフカット溝（５７ａ）が上板（５１）と開閉蓋板（５２）とを連結しているヒンジ仮想線（５３ａ）に沿って部分的に形成された紙箱（１）とすることもできる。
【００２２】
このように、上板（５１）と開閉蓋板（５２）とを連結しているヒンジ部が、内面側からヒンジ仮想線（５３ａ）に沿って部分的にもしくは全長に亘ってハーフカット溝（５７ａ）が形成されていることによって、例えば、図３（ｂ）の側断面模式図に示すように、内容物（図示せず）の取り出しに際し、開閉蓋板（５２）をヒンジ仮想線（５３ａ）で上方に折り曲げると、非常に折り曲げ易くなり、この折り曲げの繰り返しによってもヒンジ仮想線（５３ａ）でなるヒンジ部（５３）で切れてしまったり、あるいは開閉蓋板（５２）を上方に持ち上げて折り曲げた後すぐに元に戻ったりすることのない（デッドホールド性のある）紙箱とすることができる。
【００２３】
さらに、例えば、図１に示すように、この開閉蓋板（５２）を上方に持ち上げて折り曲げた時に、ヒンジ仮想線に沿って設けられたハーフカット溝（図示せず）でなるヒンジ部（５３）が直線的に平坦なので、開封した時でも内容物（５）に接触せず、よって、内容物（５）を容易に取り出すことができ、かつそのヒンジ部（５３）が美粧性にも優れる紙箱（１）とすることができる。
【００２４】
また、上記請求項２に係る発明は、例えば、図４（ａ）の上面図およびそのＢ−Ｂ面を表す図５（ａ）の断面図に示すように、上板（５１）と開閉蓋板（５２）とを連結しているヒンジ部が外面側からヒンジ仮想線（５３ａ）の全長に亘ってハーフカットされたハーフカット溝（５７）が形成された紙箱（１）である。
【００２５】
さらにまた、上記請求項２に係る発明では、図４（ｂ）の上面図およびそのＢ−Ｂ面を表す図５（ａ）の断面図に示すように、外面側からハーフカットされたハーフカット溝（５７）が上板（５１）と開閉蓋板（５２）とを連結しているヒンジ仮想線（５３ａ）に沿って部分的に形成された紙箱（１）とすることもできる。
【００２６】
このように、上板（５１）と開閉蓋板（５２）とを連結しているヒンジ部が、外面側からヒンジ仮想線（５３ａ）に沿って部分的にもしくは全長に亘ってハーフカット溝（５７）が形成されていることによって、例えば、図５（ｂ）の側断面模式図に示すように、内容物（図示せず）の取り出しに際し、開閉蓋板（５２）を上方に折り曲げると、折り曲げると、非常に折り曲げ易くなり、この折り曲げの繰り返しによってもヒンジ仮想線（５３ａ）でなるヒンジ部（５３）で切れてしまったり、あるいは開閉蓋板（５２）を上方に持ち上げて折り曲げた後すぐに元に戻ったりすることのない（（デッドホールド性のある）紙箱とすることができる。
【００２７】
さらに、例えば、図１に示すように、この開閉蓋板（５２）を上方に持ち上げて折り曲げた時に、ヒンジ仮想線に沿って設けられたハーフカット溝（図示せず）でなるヒンジ部（５３）が直線的に平坦なので、開封した時でも内容物（５）に接触せず、よって、内容物（５）を容易に取り出すことができ、かつそのヒンジ部（５３）が美粧性にも優れる紙箱（１）とすることができる。
【００２８】
上記本発明の紙箱（１）は、例えば、２５０ｇ／ｍ2 〜４５０ｇ／ｍ2 程度のコートボール、ノーコートボール、特殊マニラなどの板紙が用いられ、内容物の種類や箱のサイズ、用途などによって適宜選定することができる。
【００２９】
上記板紙を用いた紙箱（１）の製造において、欠くことのできないものに商品名やその宣伝のための絵柄などが印刷があり、近年の印刷方式のいずれでも可能であるが、最近の紙箱（紙器）への印刷の状況として、枚葉印刷から巻取り印刷へ、さらに次の作業工程である打抜き、むしりを一貫ラインで行う方式へと移行しつつある。その印刷方式として、オフセット枚葉式、オフセット巻取り式、グラビア巻取り式、あるいはフレキソ方式が挙げられる。
【００３０】
さらに近年の環境問題などに配慮して、オフセット用印刷インキでは、裏写りを防止するために、紫外線ランプを搭載して瞬間的に乾燥する紫外線硬化型（ＵＶ）インキの採用や、グラビア用印刷インキでは、有機溶剤型インキから水性インキへの転換も行われている。
【００３１】
続いて、上記で印刷されたものを、打抜き、むしり工程を経て紙箱（１）にするためのブランクを作成する。このブランクの作成は、例えば、図６の側断面図に示すように、鉄板でなるカウンタープレート（３８）上に雌型となるプレートボード（３７）を貼り付けた抜き台（３１）と、鉄板（３６）にむら取り紙（３９）を介して取り付けられている展開図通りの抜き型（３０）とでなる打抜き機（４０）を用いて成される。
【００３２】
上記抜き型（３０）には、折り罫線用の押し罫（３２）と、ミシン目や周縁の断裁のための打抜き用切り刃（３４）およびハーフカット用切り刃（３５）などが取り付られている。
【００３３】
その打抜きは、上記打抜き機（４０）の抜き台（３１）上に印刷された板紙を乗せ、展開図どおりに作った抜き型（３０）の圧力で、展開図の折り罫線（１２）を押し罫（３２）で、また、ミシン目（図示せず）や周縁の切断線（１５）を打抜き用切り刃（３４）で
、ハーフカット溝（５７）はハーフカット用切り刃（３５）で形成し、これをむしり工程を経てブランク（１０）とすることができる。
【００３４】
この打抜き機は、普通平圧式で、ビクトリア型など種々のタイプがあるが、現在最も多く使用されているものは、自動給紙機付き、自動むしり装置付きのタイプである。このほかに、円圧式があり、これは抜き型は平らで、紙がシリンダーに巻きつくタイプや、輪転式といって、両方がシリンダーになるタイプなどもあり、特に後者は、オフセット巻取り機に直結され、打抜き等の精度が良く、かつ大量生産、高速印刷、打抜きの機械として好適である。
【００３５】
上記で得られたブランク（１０）を製箱機によりブランクの折り罫線（１２）に従って折り、貼り合わせなどで紙箱（１）とするものである。
【００３６】
以上のように、本発明は、紙製でなる上板に、紙様タオルなどの薄型内容物の取出口となる開閉蓋板がヒンジ部を介して連結されている紙箱として、優れた実用上の効果を奏するものである。
【図面の簡単な説明】
【００３７】
【図１】本発明の紙箱の一実施の形態を表した斜視図である。
【図２】本発明の紙箱の事例を説明するもので、（ａ）は、その一事例を示す上面図であり、（ｂ）は、他の一事例を示す上面図である。
【図３】本発明の紙箱を構成するヒンジ部の一事例を説明するもので、（ａ）は、図２のＢ−Ｂ面を表す断面図であり、（ｂ）は、（ａ）に示す開閉蓋板を折り曲げたときの断面図である。
【図４】本発明の紙箱の他の事例を説明するもので、（ａ）は、その一事例を示す上面図であり、（ｂ）は、他の一事例を示す上面図である。
【図５】本発明の紙箱を構成するヒンジ部の他の一事例を説明するもので、（ａ）は、図４のＢ−Ｂ面を表す断面図であり、（ｂ）は、（ａ）に示す開閉蓋板を折り曲げたときの断面図である。
【図６】本発明の紙箱を製造するための打抜き機の一事例を説明する側断面図である。
【図７】従来の紙箱を構成するヒンジ部の一事例を示す上面図である。
【図８】従来の紙容器の一事例を説明するもので、（ａ）は、その上面図であり、（ｂ）は、（ａ）の開閉蓋板を折り曲げて取出口を形成した斜視図である。
【符号の説明】
【００３８】
１‥‥紙箱
２‥‥紙容器
５‥‥内容物
１０‥‥ブランク
１２‥‥折り罫線
１５‥‥周縁の切断線
２０‥‥スリット
２０ａ‥‥スリットの谷部の先端部
２０ｂ‥‥スリットの端点
３０‥‥抜き型
３１‥‥抜き台
３２‥‥押し罫
３４‥‥切り刃
３６‥‥鉄板
３７‥‥プレスボード
３８‥‥カウンタープレート
３９‥‥むら取り紙
４０‥‥打抜き機
５１‥‥上板
５２‥‥開閉蓋板
５３‥‥ヒンジ部
５３ａ‥‥ヒンジ仮想線
５４‥‥側板
５５‥‥取出口
５６‥‥前板
５７‥‥外面側のハーフカット溝
５７ａ‥‥内面側のハーフカット溝
５８‥‥押し罫線
５９‥‥ミシン目
６２‥‥湾曲状の切れ目
６２ａ‥‥湾曲状の切れ目の端部
６２ｂ‥‥湾曲状の切れ目の先端
【図１】
0004811079.tif 000002
【図２】
0004811079.tif 000003
【図３】
0004811079.tif 000004
【図４】
0004811079.tif 000005
【図５】
0004811079.tif 000006
【図６】
0004811079.tif 000007
【図７】
0004811079.tif 000008
【図８】
0004811079.tif 000009